(57)【要約】【課題】探触子を走査しながら音響波を受信する被検体情報取得装置において、生成される画像データのコントラストのばらつきを抑制する。【解決手段】光源からの光が被検体に照射されることにより発生した音響波を受信して電気信号を出力する受信素子と、電気信号を増幅する増幅部と、受信素子と前記被検体との相対的な位置を移動させる走査部と、増幅部のゲインを、受信素子が音響波を受信する時刻に応じて決定する制御部と、電気信号を用いて被検体の特性情報を取得する処理部を有し、制御部は、受信素子と前記被検体との位置関係に応じて増幅部のゲインを決定する被検体情報取得装置を用いる。【選択図】図１
2019010599.tif 000002
【特許請求の範囲】
【請求項１】
光源と、
前記光源からの光が被検体に照射されることにより発生した音響波を受信して電気信号を出力する受信素子と、
前記電気信号を増幅する増幅部と、
前記受信素子と前記被検体との相対的な位置を移動させる走査部と、
前記増幅部のゲインを、前記受信素子が前記音響波を受信する時刻に応じて決定する制御部と、
前記電気信号を用いて前記被検体の特性情報を取得する処理部と、
を有し、
前記制御部は、前記受信素子と前記被検体との位置関係に応じて前記増幅部のゲインを決定する
ことを特徴とする被検体情報取得装置。
【請求項２】
前記被検体を保持する保持部材を取り付ける取付部をさらに有する
ことを特徴とする請求項１に記載の被検体情報取得装置。
【請求項３】
前記取付部は、互いに異なる複数の前記保持部材を交換可能に構成され、
前記被検体情報取得装置は、複数の前記保持部材に対応する複数のゲインを記録したメモリをさらに有し、
前記制御部は、前記取付部に取り付けられた前記保持部材の種類の情報を取得し、前記保持部材の種類の情報に基づいて前記取付部に取り付けられた前記保持部材に対応するゲインを前記メモリから読み出し、前記ゲインとして決定する
ことを特徴とする請求項２に記載の被検体情報取得装置。
【請求項４】
前記保持部材は、前記被検体を保持するカップ状の保持部材である
ことを特徴とする請求項２または３に記載の被検体情報取得装置。
【請求項５】
前記制御部は、前記受信素子から最も近い前記保持部材上の点までの距離に応じて前記増幅部のゲインを決定する
ことを特徴とする請求項２ないし４のいずれか１項に記載の被検体情報取得装置。
【請求項６】
前記制御部は、前記受信素子から最も近い前記保持部材上の点までの距離に基づいて決定される、当該受信素子が受信する前記音響波の減衰の程度に応じて、前記増幅部が前記電気信号にかけるゲインを決定する
ことを特徴とする請求項５に記載の被検体情報取得装置。
【請求項７】
前記制御部は、前記受信素子から最も近い前記保持部材上の点までの距離に基づいて決定される、当該受信素子が前記被検体に由来する前記音響波の受信を開始する時刻の前と後で、前記増幅部が前記電気信号にかけるゲインを変更するように前記ゲインを決定することを特徴とする請求項５または６に記載の被検体情報取得装置。
【請求項８】
前記制御部は、前記受信素子から最も近い前記保持部材上の点までの距離に基づいて決定される、当該受信素子が前記被検体に由来する前記音響波の受信を開始する時刻から、前記増幅部が前記電気信号にゲインをかけるように前記ゲインを決定する
ことを特徴とする請求項５または６に記載の被検体情報取得装置。
【請求項９】
複数の前記受信素子を備え、
前記複数の受信素子を、少なくとも一部の受信素子の指向軸が集まるように支持する探
触子をさらに有する
ことを特徴とする請求項１ないし８のいずれか１項に記載の被検体情報取得装置。
【請求項１０】
前記走査部は、前記探触子と前記被検体との相対的な位置を移動させる
ことを特徴とする請求項９に記載の被検体情報取得装置。
【請求項１１】
前記受信素子と前記被検体の位置関係に対応するゲインを記録したメモリをさらに有し、
前記制御部は、前記受信素子と前記被検体の位置関係に応じたゲインを前記メモリから読み出し、前記ゲインとして決定する
ことを特徴とする請求項１ないし１０のいずれか１項に記載の被検体情報取得装置。
【請求項１２】
前記制御部は、前記ゲインを、前記受信素子と前記被検体の位置関係に応じて計算することを特徴とする請求項１ないし１０のいずれか１項に記載の被検体情報取得装置。
【請求項１３】
前記制御部は、前記複数の受信素子を支持する探触子における位置に応じて複数のグループに分け、前記グループごとに前記ゲインを決定する
ことを特徴とする請求項１ないし１２のいずれか１項に記載の被検体情報取得装置。
【請求項１４】
前記制御部は、前記光の照射点と前記被検体との位置関係および前記受信素子と前記被検体の位置関係に応じて、前記増幅部が前記電気信号にかけるゲインを決定する
ことを特徴とする請求項１ないし１３のいずれか１項に記載の被検体情報取得装置。
【発明の詳細な説明】
【技術分野】
【０００１】
本発明は、被検体情報取得装置に関する。
【背景技術】
【０００２】
従来、主に医療分野において、パルス光を被検体に照射し、被検体内部から発生する音響波を探触子で受信して被検体内部の形態や機能を画像化する被検体情報取得装置が研究されている。このような装置の使用者が被検体の撮影を開始すると、まず、被検体情報取得装置内部のコントローラが光源の駆動回路に信号を送り、パルス光を照射させる。このパルス光が被検体内部や表面の光吸収体で吸収されると、光音響効果により音響波が発生する。この音響波は、探触子により光音響信号と呼ばれる電気信号に変換される。コントローラはこの光音響信号を増幅し、信号処理および画像再構成処理を行い、診断画像を使用者に提示する。
【０００３】
このような被検体情報取得装置の中で、探触子を走査しながら音響波を受信するタイプのものが提案されている。例えば特許文献１では、球面上に配置された受信素子群を持つ探触子が被検体の周囲を三次元的に走査することで、分解能のばらつきを低減させている。このような装置において、探触子と被検体の間はインピーダンスマッチング材で満たされ、被検体で発生した音響波が探触子に効率よく届くようにしている。
一方、超音波診断装置の分野では、音響波の受信時刻に応じて増幅部のゲインを変えて音響波の減衰を補正する処理が一般的に行われている。この処理をＴＧＣ（Ｔｉｍｅ−Ｇａｉｎ−Ｃｏｎｔｒｏｌ）と呼び、時刻とゲインの関係を示す曲線をゲインカーブと呼ぶ。
【先行技術文献】
【特許文献】
【０００４】
【特許文献１】特開２０１２−１７９３４８号公報
【発明の概要】
【発明が解決しようとする課題】
【０００５】
特許文献１の被検体情報取得装置において、被検体あるいは探触子を走査すると、探触子上の各受信素子から被検体までの位置関係が変わる。これにより、被検体内部で発生した音響波が各受信素子に到達するまでに減衰する割合も、走査中に変化する。そのような音響波を用いて被検体内部の診断画像を生成した場合、コントラストのばらつきが発生するおそれがある。
【０００６】
本発明はこのような課題に鑑みてなされたものであり、その目的は、探触子を走査しながら音響波を受信する被検体情報取得装置において、生成される画像データのコントラストのばらつきを抑制することにある。
【課題を解決するための手段】
【０００７】
本発明は、以下の構成を採用する。すなわち、
光源と、前記光源からの光が被検体に照射されることにより発生した音響波を受信して電気信号を出力する受信素子と、前記電気信号を増幅する増幅部と、前記受信素子と前記被検体との相対的な位置を移動させる走査部と、前記増幅部のゲインを、前記受信素子が前記音響波を受信する時刻に応じて決定する制御部と、前記電気信号を用いて前記被検体の特性情報を取得する処理部と、を有し、前記制御部は、前記受信素子と前記被検体との位置関係に応じて前記増幅部のゲインを決定することを特徴とする被検体情報取得装置で
ある。
【発明の効果】
【０００８】
本発明の被検体情報取得装置によれば、探触子を走査しながら音響波を受信する被検体情報取得装置において、生成される画像データのコントラストのばらつきを抑制できる。
【図面の簡単な説明】
【０００９】
【図１】第一実施例におけるブロック構成図
【図２】第一実施例における動作フローチャート
【図３】第一実施例におけるゲイン設定の一例を示す図
【図４】第一実施例における探触子と被検体の位置関係を示す図
【図５】第一実施例における測定座標および測定領域の一例を示す図
【発明を実施するための形態】
【００１０】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものであり、この発明の範囲を以下の記載に限定する趣旨のものではない。
【００１１】
本発明は、被検体から伝播する音響波を検出し、被検体内部の特性情報を生成し、取得する技術に関する。よって本発明は、被検体情報取得装置またはその制御方法、あるいは被検体情報取得方法や信号処理方法として捉えられる。本発明はまた、これらの方法をＣＰＵ等のハードウェア資源を備える情報処理装置に実行させるプログラムや、そのプログラムを格納した記憶媒体としても捉えられる。本発明はまた、音響波測定装置やその制御方法としても捉えられる。
【００１２】
本発明は、被検体に光（電磁波）を照射し、光音響効果に従って被検体内または被検体表面の特定位置で発生して伝播した音響波を受信（検出）する、光音響トモグラフィー技術を利用した被検体情報取得装置に適用できる。このような装置は、光音響測定に基づき被検体内部の特性情報を画像データや特性分布情報などの形式で得ることから、光音響撮像装置、光音響画像形成装置、あるいは単に光音響装置とも呼べる。
【００１３】
光音響装置における特性情報は、光照射によって生じた音響波の発生源分布、被検体内の初期音圧分布、あるいは初期音圧分布から導かれる光エネルギー吸収密度分布や吸収係数分布、組織を構成する物質の濃度分布などである。具体的には、酸化・還元ヘモグロビン濃度分布や、それらから求められる酸素飽和度分布などの血液成分分布、あるいは脂肪、コラーゲン、水分の分布などである。また、特性情報は、数値データとしてではなく、被検体内の各位置の分布情報として求めてもよい。すなわち、吸収係数分布や酸素飽和度分布などの分布情報を被検体情報としてもよい。
【００１４】
本発明は、被検体に超音波を送信し、被検体内部で反射した反射波（エコー波）を受信して、被検体情報を画像データとして取得する超音波エコー技術を利用した装置にも適用できる。超音波エコー技術を利用した装置の場合、取得される被検体情報とは、被検体内部の組織の音響インピーダンスの違いを反映した情報である。
【００１５】
本発明でいう音響波とは、典型的には超音波であり、音波、音響波と呼ばれる弾性波を含む。光音響効果により発生した音響波のことを、光音響波または光超音波と呼ぶ。探触子により音響波から変換された電気信号を音響信号とも呼び、光音響波に由来する音響信号を特に光音響信号と呼ぶ。
本発明における被検体としては、生体の乳房が想定できる。ただし被検体はこれに限ら
れず、生体の他の部位や、非生体材料の測定も可能である。
【００１６】
［第一実施例］
本発明の第一実施例に係る装置は、光音響信号を取得したタイミングでの探触子の位置に応じて光音響信号のゲインを変更する。
【００１７】
＜装置の構成と機能＞
図１は、第一の実施例の装置構成を示す。図１において、符号１０１は測定対象となる被検体であり、被検者の体の一部である。この例での被検体は乳房とする。符号１０２は被検体を保持し形状を規定する被検体保持部材である。被検体保持部材１０２としては、光と音響波を透過する材質が好ましく、カップ状に成形されたポリメチルペンテンなどの薄膜が好適に用いられる。被検体情報取得装置は、カップ状の被検体保持部材１０２を取り付ける取付部を有することが好ましい。被検体保持部材を用いれば、各受信素子と被検体保持部材上の点との位置関係が、探触子の走査位置ごとに予め定められるので、増幅に用いるゲインを予め求めておいてメモリに保管しておける点で好ましい。
【００１８】
また、互いに異なる複数のサイズのカップ状の被検体保持部材を用意しておき、被検体のサイズや所望の圧迫厚に応じて、取付部にて交換可能とすると良い。あるいは、高いに形状が異なる複数のカップ状保持部材を用意してもよい。
これらの場合、上述したような、探触子の走査位置、各受信素子の位置、および保持部材上の点の位置から定まるゲインカーブを、保持部材の種類に応じてメモリに保管しておくことが好ましい。制御部が取付部に設置された保持部材の種類を読み取る方法は任意である。例えば、保持部材にＩＣタグやバーコードなどを配置しておき、対応する読み取り手段を用いることが好適である。また、ユーザが保持部材を設置した時に手動で保持部材の種類（または必要情報そのもの）を入力しても良い。そして、制御部は、読み取った保持部材の種類に応じたゲインをメモリから読み出して、増幅処理に用いるゲインとして決定する。
【００１９】
符号１０３は被検体１０１からの音響波を受信し光音響信号に変換する探触子である。探触子１０３は球面状に多数の受信素子を配置させた構成をしており、被検体からの音響波をさまざまな角度から受信できる。符号１０４は探触子を支持する支持体である。符号１０５は、探触子１０３をＸＹ平面上で走査するＸＹステージであり、支持部材１０４により探触子１０３と締結されている。なお、本実施例では垂直方向をＺ軸とし、水平面をＸＹ平面とする。符号１０６はＸＹステージ１０５を駆動させる２軸モーターであり、ＡＣサーボモーターあるいはステッピングモーターなどが用いられる。符号１０７はＸＹステージの位置を測定するためのセンサであり、ポテンショメータ、光学式エンコーダなどが用いられ、数１０ｕｍの精度で探触子１０３のＸＹ座標を計測できる。ＸＹステージおよび２軸モーターは、本実施例での走査部となる。走査部の具体的な構成材料は、ここで挙げたものに限定されない。この走査部の動作により、複数の受信素子を含む探触子の被検体に対する相対的な位置を移動させられる。
【００２０】
符号１０８はパルス光を発生させるための光源であり、ＹＡＧレーザ、チタンサファイアレーザなどで構成される。パルスレーザ光源は内部のレーザ媒質を励起するための手段としてフラッシュランプおよびＱスイッチをもち、外部から電気的に発光タイミングを制御可能な構成である。符号１０９はパルス光を被検体の近くまで導くための光路である。光路１０９は光ファイバ、あるいはミラーおよび屈曲アームなどの光学系を用いて構成される。符号１１０は光路１０９で伝送されたパルス光を被検体１０１へ照射する投光部である。投光部内に拡散板を設け照射範囲を広げるとともにパルス光の空間的な強度ばらつきを低減させる。投光部１１０はＸＹステージ１０５に締結されており、探触子１０３とともにＸＹ平面上を移動する。
【００２１】
符号１１１は投光部１１０から出射されるパルス光を示す。符号１１２は被検体内部に存在する光吸収の大きな部位を表したものであり、例えば乳がんに起因する新生血管がこれにあたる。符号１１２にパルス光１１１が照射されると、光吸収部位１１２にてパルス光のエネルギーが吸収され、光音響効果により音響波が生じる。
【００２２】
符号１１３および１１４は探触子１０３に設けられた受信素子であり、音響波を光音響信号と呼ばれる電気信号に変換する。受信素子は球面状（球冠状）の探触子上に複数設けられる。各受信素子の指向軸（高感度な受信方向）は球面の中心方向を向いており、球冠を含む球の中心付近に高感度領域が形成される。本実施例では１２８個の受信素子が存在するものとする。図１には探触子の右半分にしか受信素子が描かれていないが、実際には受信素子は探触子の球面全体にわたって配置されている。これにより、被検体１０１内の光吸収部位１１２からの光音響波をさまざまな方向から受信し、分解能ばらつきを低減させる。
【００２３】
なお、受信素子を支持する探触子の形状は球冠状に限られない。探触子は、複数の受信素子を、少なくとも一部の受信素子の受信方向が異なるように支持できれば良い。例えば楕円球を所望の平面で切断した形状や、複数の平面または曲面を組み合わせた形状なども利用できる。いずれの形状の探触子であっても、内部に後述するインピーダンスマッチング材を保持できることが望ましい。
【００２４】
符号１１５は探触子１０３と被検体保持部材１０２を音響的に結合させるインピーダンスマッチング材である。材料は被検体と受信素子に音響インピーダンスが近く、パルス光を透過する液体が望ましい。具体的には水、ひまし油、ジェルなどが用いられる。符号１１６は被検体１０１と被検体保持部材１０２を音響的に結合させるためのインピーダンスマッチング材であり、インピーダンスマッチング材１１５と同様に生体に適合した材料が用いられる。
【００２５】
符号１１７は、１１３，１１４を含む受信素子群からの光音響信号をコントロールユニットへ伝搬させるためのケーブルである。符号１１８はコントロールユニットであり、光音響信号を受信し、増幅、Ａ／Ｄ変換、信号処理、画像再構成などの処理を行う。コントロールユニット１１８はまた、位置センサ１０７からの信号をもとにモーター１０６の駆動信号を生成する。コントロールユニット１１８はまた、モーター１０６の駆動と同期して光源１０８の駆動信号を送り、パルス光の発光を行う。
【００２６】
符号１１９は使用者が光音響装置の動作条件の設定や動作開始指示を行うためのユーザインタフェースであり、キーボード、マウス、ボタンスイッチなどで構成される。動作条件としては、被検体１０２の測定範囲や光音響信号の受信時間などがある。また、動作指示としては被検体の撮影開始および撮影中断などがある。符号１２０は使用者に診断画像を表示したり、被検体情報取得装置の状態を通知したりするためのディスプレイである。
【００２７】
続いてコントロールユニット１１８の構成要素を説明する。増幅器１２１は光音響信号を増幅する回路であり、１２８チャネルのプログラマブルゲインアンプアレイで構成される。本発明における増幅器１２１は、制御部１２５からの設定により、チャネルごとにゲインを変更できる。ゲインを変えるためにプログラマブルゲインアンプに設定する値をゲイン設定値と呼ぶ。制御部１２５は探触子１０３の位置に応じたゲインをチャネルごとに決定し、そのゲインになるようなゲイン設定値をプログラマブルゲインアンプ内のレジスタに設定する。それぞれのチャネルはそれぞれの受信素子からの信号を設定されたゲインでアナログ的に増幅する。増幅器は本実施例での増幅部に当たる。なお本明細書においては、ゲインを決定する処理、決定したゲインを用いて信号を増幅する処理、および、それ
らに付随する処理の少なくともいずれかを行うことを、ゲインの制御と呼ぶ。
【００２８】
符号１２２は増幅器１２１にて増幅されたアナログ信号をデジタル化する回路であり、１２８チャネルのＡ／Ｄ変換器から構成される。Ａ／Ｄ変換器の帯域は受信素子の帯域幅より広く、３０ＭＨｚ以上が望ましい。符号１２３はＡ／Ｄ変換器にてデジタル化された信号に対し、ノイズ除去、平均化などの信号処理を行う回路であり、ＦＰＧＡなどで構成される。ＦＰＧＡは１２８チャネルのＡ／Ｄ変換器１２３からの出力データを順番に読み出し、信号処理を行った後にメモリ１２６へ光音響信号データとして記録する。
【００２９】
符号１２４はメモリ１２６へ保存された光音響信号データに対し画像再構成処理および描画処理を行う回路であり、ＧＰＵなどで構成される。画像化回路１２４は、被検体内部の特性情報を取得する処理部と呼べる。画像再構成にはＵＢＰ（Ｕｎｉｖｅｒｓａｌ  ｂａｃｋ  ｐｒｏｐａｇａｔｉｏｎ）法などの公知のアルゴリズムを用いる。符号１２５は装置全体の制御を行う制御回路（制御部）であり、マイクロプロセッサおよびソフトウェアで構成される。
【００３０】
符号１２７は制御部１２５からの指令と位置センサ１０７からのＸＹステージ１０５の位置情報に基づき、モーター１０６の駆動信号を生成するドライバ回路である。使用者が指定した測定範囲をカバーする目標座標群を制御部１２５で算出し、モータードライバ１２７へ設定する。測定範囲および目標座標群の一例を図５（ａ）に示す。図５（ａ）は被検体の上側から透過して探触子を見た図であり、５０１の円内が測定範囲である。そして測定範囲５０１内の点５０２、５０３などが目標座標となる。図５（ａ）に示すように測定座標は測定範囲内をまんべんなく分布している。モータードライバ１２７は各目標座標へ探触子１０３および投光部１１０を移動させる。走査部は、モータードライバを含むものと考えてもよい。この移動により、受信素子を含む探触子の被検体に対する相対的な位置が変化して、様々な場所と方向で音響波を受信できる。
【００３１】
光源ドライバ１２８は制御部１２５からの指示に基づき光源１０８の駆動信号を生成するドライバ回路である。光源１０８を発光させる際には、光源ドライバ１２８は、まずフラッシュランプ駆動信号を送信し光源内部のレーザ媒質を励起させる。続いて約１５０マイクロ秒後にＱスイッチ駆動信号を送信すると、光源内部で急激な発振が起こり、１０ナノ秒程度の幅のパルス光が出力される。これを一定の周期で繰り返し行うことにより、安定した光量のパルス光を被検体１０１へ照射する。本実施例では周期は５０ミリ秒とする。また、光源１０８内部には光量計やシャッタなどを含み、光量のモニタリングや照射停止などの機能もある。
【００３２】
符号１２９は光源１０８から出力されたパルス光の一部を受信し、光音響受信やモーター駆動と同期するためのトリガ信号を生成する回路である。トリガ入力部１２９はフォトダイオードおよび増幅回路、比較回路などから構成され、パルス光が入力されると、数マイクロ秒の期間だけハイレベルになるトリガ信号を出力する。トリガ入力部１２９の構成はこれに限られず、光を検知する光センサとしての機能を有する部材を利用できる。制御部１２５による制御動作は、パルス光の発光タイミングをトリガ入力部１２９で検出し、それを起点に行われる。これにより、Ｑスイッチ駆動信号が送信されてから実際にパルス光が出力されるまでの光源１０８内部のパルスごとの遅延時間ばらつきの影響を抑制できる。
【００３３】
モータードライバ１２７は、レーザの発光タイミングで投光部１１０および探触子１０３が被検体１０１の目標座標を通過するように、モーター１０６を制御する。このとき、周期５０ミリ秒でハイレベルになるトリガ信号にＸＹステージの動きを同期させる。モータードライバ１２７はまた、トリガ信号が入力されたタイミングで位置センサ１０７から
測定座標を読み出す。この測定座標は、画像化回路１２４で画像再構成を行う際の探触子１０３の位置補正に使用される。これにより、ＸＹステージの駆動精度の限界により目標座標と測定座標のずれがあった場合でも、診断画像への影響を低減できる。
【００３４】
また、制御部１２５は、トリガ信号がハイレベルになってからの時刻と探触子１０３と被検体１０２の位置関係に応じて増幅器１２１のゲインをチャネル毎に制御し、音響波の減衰を補正する。これは、光音響波の受信中に段階的にゲインを変化させることに相当する。具体的には、被検体１０１の浅い位置からの光音響信号に対してはゲインを低くし、増幅器１２１の出力電圧が飽和する事を防ぐ。被検体１０１の奥深くからの微弱な光音響信号に対してはゲインを高くし、光音響信号がノイズに埋もれないようにする。
【００３５】
ここで、受信素子の位置の違いにより被検体からの光音響波の減衰量は変わる。そこで本発明において制御部１２５は、受信素子ごと、すなわちチャネルごとにゲインを変える。例えば制御部１２５は受信素子１１３の増幅と受信素子１１４の増幅とでは異なるゲインを用いる。また、ＸＹステージ１０５で駆動される探触子１０３の位置により受信素子と被検体１０１との位置関係が変わり、光音響波の減衰特性が変わるので測定座標ごとにゲインを変える。この測定座標は位置センサ１０７で測定する。
【００３６】
また、制御部１２５は、Ａ／Ｄ変換器１２２、信号処理回路１２３、画像化回路１２４を制御する。これにより、トリガ信号がハイレベルになってから所定の時間内に増幅器１２１へ入力された信号に対して、Ａ／Ｄ変換、信号処理、および画像化が行われ、結果がメモリ１２６へ格納される。
制御部１２５は、被検体のサイズを予め見積もっておき、もっとも遠い位置からの信号が含まれるように所定の時間を決定する。これを信号受信時間Ｔｓと呼ぶ。
【００３７】
＜動作フロー＞
図２はコントロールユニット１１８で実行される被検体情報取得装置の動作フローを示す。
ステップＳ２０１において、制御部１２５は使用者がユーザインタフェース１１９を介して指定した設定情報を読み込み、内部のメモリ１２６へ記録する。設定情報としては同じ測定位置での繰り返し照射回数や測定範囲、パルス光の波長などがある。
続いてステップＳ２０２において、制御部１２５はモータードライバ１２７を介してモーター１０６を駆動し、ＸＹステージ１０５上の探触子１０３および投光部１１０を目標座標まで移動させる。
【００３８】
続いてステップＳ２０３において、制御部１２５は位置センサ１０７で測定された座標に基づき、探触子１０３上の各受信素子のゲイン設定値を算出し、メモリ１２６へ保存する。ゲイン設定値のデータ形式は、増幅器１２１のプログラマブルゲインアンプの各チャネル番号、時刻、ゲイン設定値の組み合わせからなる３次元のテーブル情報である。
ゲインの更新時刻ごとに各チャネルのゲイン設定値を連続するメモリアドレスに配置することにより、更新時刻ごとに各チャネルのゲイン設定値を連続して高速に読み出すことができる。また、ゲインを更新する時間を予め決定しておき、その時間のゲイン設定値のみを保存する。この時間をゲイン更新時間と呼ぶ。これによりゲイン更新に必要な情報だけがメモリに保存されるので、メモリ１２６の容量を小さくできる。ゲイン更新は一定周期で繰り返してもよいし、ゲインカーブの変化率の大きな時刻では更新頻度を高くし、変化率の小さい時刻では更新頻度を低くしてもよい。ゲインカーブの算出方法については後述する。
【００３９】
次にステップＳ２０４において、制御部１２５は増幅器１２１へアクセスし、ステップＳ２０３で算出されたゲインになるように各チャネルのプログラマブルゲインアンプの設
定を変更する。
【００４０】
続いてステップＳ２０５において、制御部１２５は光源ドライバ１２８を介して光源１０８を駆動させ、ステップＳ２０１で設定された波長のパルス光を発光させる。これにより、投光部１１０より被検体１０１へパルス光が照射され、被検体内部の光吸収部位１１２より光音響波が発生する。この光音響波は探触子１０３上に配置された受信素子により光音響信号に変換され、増幅器１２１へ入力される。光音響信号は微弱なため、ステップＳ２０４で設定されたゲインで増幅される。
【００４１】
一方、パルス光の一部は光路１０９で分岐されトリガ入力部１２９へ入力される。分岐方法としては、バンドルファイバの一部を分けてもよいし、ビームスプリッタを挿入してもよい。パルス光の発光はトリガ入力部１２９の光センサにてトリガ信号に変換され、制御部１２５へ入力される。このようにパルス光の発光タイミングを検出することで、光源のばらつきにより光源ドライバが光源に駆動信号を送ってからパルス光が実際に出力されるまでの時間が変動する場合にも、光音響波の発生タイミングをコントロールユニット１１８が把握できる。
【００４２】
続いてステップＳ２０６において、制御部１２５はＡ／Ｄ変換器１２２、信号処理回路１２３に制御信号を送り、光音響信号のデジタル化および信号処理を行う。信号処理としてはフィルタリングやウェーブレット変換、平均化などのノイズ除去処理および、各受信素子の感度ばらつき補正のための重みづけ処理を行う。
続いてステップＳ２０７において、制御部１２５は内部のタイマ回路によりゲインを更新する時刻に到達しているかを判定する。到達している場合にはステップ２０８へ進む。到達していない場合にはステップＳ２０６へ進み、光音響信号をこれまでと同じゲインで増幅し、デジタル化および信号処理を継続する。
【００４３】
ステップＳ２０８において制御部１２５はメモリ１２６にアクセスし、その時の時刻に対応する各チャネルのゲイン設定値を読み出す。そして、増幅器１２１へアクセスし、読み出されたゲイン設定値に基づき全チャネルのプログラマブルゲインアンプの設定を変更する。
続いてステップＳ２０９において、トリガ信号が入力されてから信号受信時間Ｔｓが経過したか否かを判定する。経過している場合にはステップＳ２１０へ進む。経過していない場合にはステップＳ２０６へ進み、引き続き光音響信号の受信を行う。
【００４４】
ステップＳ２１０では、ステップＳ２０１で読み込んだ被検体の測定範囲をカバーするすべての測定位置での光音響信号の受信が完了したか否かを判定する。完了した場合にはステップＳ２１１へ進む。完了していない場合にはステップＳ２０２へ進み、次の目標座標へ探触子を移動させ、ステップＳ２０３以降を繰り返し実行する。
続いてステップＳ２１１において、制御部１２５はメモリ１２６から光音響信号データを読み出し、画像化回路１２４へ転送して画像再構成処理を行う。これにより診断画像が作成され、メモリ１２６へ保存される。
続いてステップＳ２１２において、制御部１２５は診断画像をメモリ１２６から読み出し、ディスプレイ１２０へ表示させる。
【００４５】
＜ゲイン＞
ゲインの算出および設定について図３、図４、図５を用いて説明する。
図３は探触子１０３上の受信素子１１３および受信素子１１４に対応するゲインカーブおよびゲイン設定値の時間変化の一例を示す図である。
【００４６】
図４はある２つの測定座標での時点での探触子１０３および被検体１０１の位置関係を
示す図である。図４（ａ）では、探触子がＸ軸上でマイナス側に移動し、被検体１０１の左端付近を照射している。これは、図５（ａ）において目標座標５０３付近に照射をしている状態である。図４（ｂ）では、探触子がＸ軸上でプラス側に移動し、被検体１０１の右端付近を照射している。図５（ａ）において目標座標５０２付近に照射をしている状態である。
【００４７】
図４（ａ）において、符号４０１は受信素子１１３の中心点。符号４０２は点４０１から最も近い被検体保持部材１０２上の点、符号４０３は受信素子１１４の中心点、符号４０４は点４０３から最も近い被検体保持部材１０２上の点である。また符号４０５は、投光部１１０からパルス光が照射される照射位置である。
また、図４（ｂ）において、符号４０６は点４０１から最も近い被検体保持部材１０２上の点、符号４０７は点４０３から最も近い被検体保持部材１０２上の点である。また符号４０８は照射位置であり、符号４０８付近に投光部１１０からパルス光が照射される。このように、受信素子から保持部材上の点までの最短距離が求められる。
【００４８】
図３（ａ）は、探触子１０３と被検体１０１の位置関係が図４（ａ）の場合の、受信素子１１３のゲインカーブＧ０（ｔ）と、増幅器１２１の受信素子１１３に対応するプログラマブルゲインアンプに設定されるゲイン設定値の時間変化Ｃ０（ｔ）を示す。
図３（ｂ）は、探触子１０３と被検体１０１の位置関係が図４（ａ）の場合の、受信素子１１４のゲインカーブＧ６３（ｔ）と、増幅器１２１の受信素子１１４に対応するプログラマブルゲインアンプに設定されるゲインの設定値の時間変化Ｃ６３（ｔ）を示す。
【００４９】
図３（ｃ）は、探触子１０３と被検体１０１の位置関係が図４（ｂ）の場合の、受信素子１１３のゲインカーブＧ０（ｔ）と、増幅器１２１の受信素子１１３に対応するプログラマブルゲインアンプに設定されるゲイン設定値の時間変化Ｃ０（ｔ）を示す。
図３（ｄ）は、探触子１０３と被検体１０１の位置関係が図４（ｂ）の場合の、受信素子１１４のゲインカーブＧ６３（ｔ）と、増幅器１２１の受信素子１１４に対応するプログラマブルゲインアンプに設定されるゲイン設定値の時間変化Ｃ６３（ｔ）を示す。
【００５０】
ステップＳ２０３のゲインの算出工程についてさらに詳しく説明する。
ステップＳ２０３では、制御部１２５は、測定座標から、探触子１０３と被検体保持部材１０２の位置関係を割り出し、１１３、１１４をはじめとする各受信素子から被検体保持部材１０２までの距離を求める。受信素子の番号をＮ（Ｎ＝０，１，２，…，１２７）とする。
説明のため受信素子１１３の素子番号を０、受信素子１１４の素子番号を６３とする。測定座標を（Ｘ，Ｙ）とし、素子番号Ｎの素子と被検体保持部材表面までの距離をＬｎとすると、Ｌｎは探触子１０３および被検体保持部材１０２の形状と、取り付け位置および測定座標Ｘ，Ｙと素子番号Ｎによってきまる関数である。これは、以下の式（１）で示される。
Ln = Function(X,Y,N)      …（１）
【００５１】
探触子１０３と被検体１０１の位置関係が図４（ａ）に示す状態のときは、Ｌ０は点４０１と点４０２の間の距離，Ｌ６３は点４０３と点４０４の距離である。探触子１０３と被検体１０１の位置関係が図４（ｂ）に示す状態のときは、Ｌ０は点４０１と点４０６の間の距離，Ｌ６３は点４０３と点４０７の距離である。
【００５２】
ここで、インピーダンスマッチング材１１５中を音響波が伝搬するときの音速をＶｍ、音響波の減衰率をＤｍとする。また、被検体１１２中を音響波が伝搬するときの音速をＶｓ、音響波の減衰率をＤｓとする。また、トリガ信号がハイレベルになったときの時刻を０とする。なお、音響波の減衰の程度は指数関数的であるものとする。
【００５３】
音速が各媒体中で一定であると仮定すると、時刻０から時刻Ｌｎ／Ｖｍにおいて、素子番号Ｎの受信素子のゲインカーブＧｎ（ｔ）は、以下の式（２）となる。なお、ゲインカーブとは光音響信号の取得時刻ｔと、受信素子ごとのゲインの関係を示す曲線である。ゲインカーブは光音響波の減衰と逆特性の曲線であり、探触子に伝搬する途中の光音響波の減衰によっておこる光音響信号データのばらつきを低減させるものである。
Gn(t) = A* Exp (Dm * t)      …（２）
(0 <= t <= Ln/Vm)
【００５４】
一方、時刻Ｌｎ／Ｖｍ以降においては、受信素子のゲインカーブＧｎ（ｔ）は以下の式（３）となる。
Gn(t) = A* (Exp (Ds * (t-Ln/Vm)) - 1 ) + A * Exp (Dm * Ln/Vm)      …（３）
(Ln/Vm <= t)
ここで、Ａは増幅器のプログラマブルゲインアンプが飽和しないよう予め定められた定数である。なお、位置により光の照射強度が変わる場合には、Ａは素子番号や探触子の位置に応じて異なる値を用いてもよい。例えば光の照射点４０５ないし４０８に近い受信素子に対してはＡの値を大きくし、光の照射点から遠い受信素子に対してはＡの値を小さくしてもよい。また、測定座標ごとの光の照射強度を予めシミュレーションなどで算出しておき、ＸＹ座標ごとにＡの値を変更してもよい。
【００５５】
時刻Ｌｎ／Ｖｍは、音響波が発生した時刻０としたとき、被検体からの音響波が受信素子に到達するタイミングに相当する。すなわちこのタイミング以前に受信した音響波に基づく電気信号はインピーダンスマッチング材に由来するものであり、このタイミング以後に受信した電気信号に基づく電気信号は被検体内部に由来する。音響波が発生した時刻とは、本実施例のような光音響測定の場合は光照射時刻と同一視できる。超音波エコー測定の場合は、各素子から送信された超音波が被検体に到達する時間と、被検体から反射してくるために要する時間とを考慮した計算が必要となる。
【００５６】
このようにゲインカーブＧｎ（ｔ）はＬｎの関数であり、受信素子番号および、探触子１０３と被検体１０１の位置関係によって変動する。またゲインカーブはインピーダンスマッチング材１１５と被検体１０１の音響波の減衰率の違いより、時刻Ｌｎ／Ｖｍの前と後とで変化する。
【００５７】
上述したように、探触子１０３と被検体１０１の位置関係が図４（ａ）のときのＧ０（ｔ）およびＧ６３（ｔ）を、それぞれ図３（ａ）および図３（ｂ）に示す。また、探触子１０３と被検体１０１の位置関係が図４（ｂ）のときのＧ０（ｔ）およびＧ６３（ｔ）を、それぞれ図３（ｃ）および図３（ｄ）に示す。
【００５８】
また時刻Ｌｎ／Ｖｍの値も、受信素子番号および、探触子１０３と被検体１０１の位置関係によって変動する。探触子１０３と被検体１０１の位置関係が図４（ａ）のときは、受信素子１１３と被検体１０１の距離は長く、受信素子１１４と被検体１０１の距離は近いので、図３（ａ）のＬ０／Ｖｍは図３（ｂ）のＬ６３／Ｖｍよりも大きな値になる。
一方、探触子１０３と被検体１０１の位置関係が図４（ｂ）のときは、受信素子１１３と被検体１０１の距離と、受信素子１１４と被検体１０１の距離はほぼ同じなので、図３（ｃ）のＬ０／Ｖｍは図３（ｄ）のＬ６３／Ｖｍと近い値になる。以上のように、増幅部は受信素子が音響波の受信を開始する時刻を素子と被検体の位置関係に基づいて取得し、少なくとも受信開始後からゲインをかける処理を行う。
【００５９】
次にステップＳ２０７およびステップＳ２０８のゲインの更新工程についてさらに詳しく説明する。
制御部は、プログラマブルゲインアンプが設定可能な範囲内で、上記ゲインカーブＧｎ（ｔ）に基づき、定期的に増幅器１２１にアクセスしゲインを更新する。増幅器１２１内の受信素子番号Ｎの受信素子に対応するチャネルのプログラマブルゲインアンプのゲインをＣｎ（ｔ）とする。Ｃｎ（ｔ）はゲイン更新時間ごとにその時のＧｎ（ｔ）の値で更新される。
【００６０】
探触子１０３と被検体１０１の位置関係が図４（ａ）のときのＣ０（ｔ）およびＣ６３（ｔ）を、それぞれ図３（ａ）および図３（ｂ）に示す。探触子１０３と被検体１０１の位置関係が図４（ｂ）のときのＣ０（ｔ）およびＣ６３（ｔ）を、それぞれ図３（ｃ）および図３（ｄ）に示す。図３に示すように、Ｃｎ（ｔ）はゲイン更新時間ごとに値が変化する階段状の関数となる。また、更新する頻度が高い場合にはＣｎ（ｔ）とＧｎ（ｔ）のずれは小さくなり、更新の前後のコントラストの変化が滑らかになる。一方、更新する頻度が低い場合には増幅器Ｃｎ（ｔ）とＧｎ（ｔ）のずれが大きくなり、更新の前後でコントラスト変化が目立つようになる。このため、更新を高速に行い、コントラストのばらつきを低減するために専用回路を設け、各受信素子の計算を並列化することが好ましい。また、大容量のメモリを設け、すべての目標座標における各受信素子のＬｎの計算結果を予めメモリに保存しておく構成にしてもよい。
【００６１】
また、１２８個のすべての受信素子で異なるゲインを用いるのではなく、近傍に配置されている複数の受信素子をまとめて１つの受信素子グループとし、受信素子グループ内では同じゲインを用いることもできる。このようにすると、上記更新の量が少なくなるので、制御部のゲイン更新負荷やメモリ等のハードウェアを削減できる。この場合には各受信素子グループの中心の座標に基づいてＬｎを算出し、各受信素子グループごとにゲインを決定する。例えば、近傍に配置されている４つの受信素子を１つのグループとみなせば、すべての受信素子についてゲインを更新する場合に比べ、メモリ等のハードウェア量を１／４に削減できる。一方、同じ制御部のゲイン更新負荷やメモリ等のハードウェア量であれば、更新する時間間隔を１／４にすることが可能となり、更新頻度を高めることが可能になる。
【００６２】
このように本発明の第一実施例によれば、探触子と被検体の位置関係に応じてゲインを変更することにより、位置関係による各受信素子からの光音響信号の強度ばらつきを補正できる。これにより、診断画像のコントラストばらつきを少なくできる。本実施例のように増幅器のゲインを変更することで、信号の減衰の程度が大きく、被検体内の浅い部位と深い部位で光音響信号強度が大きく変わる場合にも、診断画像のコントラストばらつき低減の効果が得られる。
【００６３】
特に第一実施例のように球冠状（または、少なくとも一部の受信素子の受信方向が異なる形状）の探触子を用いる場合、被検体保持部材表面と各素子との距離は走査に応じて変化する。そのため、被検体をプレートにより圧迫して２次元アレイ状に素子が配置された探触子で走査する場合と違い、被検体から受信素子までの音響波の到達時間が素子ごとに異なる。このような構成で各受信素子共通のゲインを用いてＴＧＣ処理を行うと、画像データ等の特性情報を取得する際の精度が低下する可能性がある。そこで第一実施例の構成を用いることにより、各受信素子に適切なゲインを与えてＴＧＣ処理を行うことが可能になる。
【００６４】
［変形例］
なお、第一実施例ではゲインの算出に用いる探触子の座標として探触子移動後に位置センサで測定した値を用いていた。しかし、光を照射する目標座標を予め決定してメモリ１２６に保存しておき、ゲインの算出にはメモリに保存された目標座標を用いてもよい。また、探触子を移動させながらゲインの算出を行うのではなく、目標座標とゲイン設定値の
対応を予め算出してメモリに保存しておき、ステップＳ２０３ではメモリからゲイン設定値を読み出すだけにしてもよい。このように一部の処理を事前に行っておくことにより、撮影中の制御部の処理負荷を軽減できる。
【００６５】
また、第一実施例ではＸＹステージの駆動にサーボモーターと位置センサを用いてフィードバック制御を行う例を用いて説明したが、駆動方法はこれに限らない。例えばステッピングモーターなどにより開ループ制御を行い、位置センサを省略することも可能である。
【００６６】
また、第一実施例ではインピーダンスマッチング材中の音響波の減衰率と被検体の音響波の減衰率の２つの減衰率を用いてゲインカーブを算出したが、ゲインカーブの種類はこれに限らない。例えば、インピーダンスマッチング材が複数ある場合には、３つ以上の減衰率を用いてゲインカーブを算出してもよい。また、被検体の内部の構造の特徴に応じた複雑なゲインカーブを算出したり、被検体の構造の特徴をもとに使用者が入力したゲインカーブを使用したりしてもよい。また、インピーダンスマッチング材中の音響波の減衰率が被検体中の音響波の減衰率に対して小さい場合には、Ｄｍ＝０とし、ゲインカーブを簡略化してもよい。
【００６７】
また、第一実施例では時刻０から時刻Ｌｎ／Ｖｍまでの間についてもゲインの更新を行う例を用いて説明した。しかし、この区間に受信した信号は被検体外部からの信号であるとみなし、ゲインを更新しないこととして、ゲイン更新処理の負荷を軽減してもよい。
また、時刻０から時刻Ｌｎ／Ｖｍまでの間はゲインを０とし、時刻Ｌｎ／Ｖｍ以降はゲインを一定の値とすることも考えられる。このようにすれば、各受信素子のゲイン更新が時刻Ｌｎ／Ｖｍの１度だけに限定されるので、ゲイン算出および更新処理負荷をさらに軽減できる。
また、ゲインの更新をステップＳ２０２で探触子１０３の位置が変わったときに行い、時刻０からＴｓの間のゲインは受信素子ごとに一定値にすることで、さらにゲイン更新処理の負荷をさらに低減してもよい。
【００６８】
また、第一実施例ではすべての受信素子について異なるゲインを設定した。しかし例えば、受信素子を図５（ｂ）の太線で区切られたゲイン領域に分け、同じゲイン領域内の測定座標では同じゲインを使用してもよい。例えば、図５（ｂ）のゲイン領域５０４内の測定座標は測定座標５０２と同じゲインを用い、ゲイン領域５０５内の測定座標は測定座標５０３と同じゲインを用いる。これにより、すべての測定座標でゲインを更新する場合に比べ、制御部のゲイン更新負荷やメモリ１２６の容量を低減できる。
【００６９】
また、第一実施例ではゲイン更新時間で定めた時間が経過した段階でゲインを更新する例を示したが、探触子１０３の位置に同期してゲインを更新してもよい。例えば、位置センサ１０７で測定した座標が図５（ｂ）で示したゲイン領域の境界をまたいだときにゲインを更新する。これにより、一定周期でゲインを更新する場合に比べ、制御部のゲイン更新負荷やメモリ１２６の容量を低減できる。
また、これらのゲイン領域は固定的なものではなく、使用者の設定や測定領域の大きさにより変更することも可能である。
【００７０】
また、第一実施例では、探触子と被検体の位置関係に応じた光音響信号減衰の補正を、増幅器内のプログラマブルゲインアンプのゲイン制御により実現していた。しかし、ゲインを制御する場所は増幅器に限らない。例えば、信号処理回路でＡ／Ｄ変換後の各受信素子からのデジタル値に対してゲインカーブから求められるゲインを乗算してもよい。この場合には信号処理回路が増幅部にあたる。また、メモリ１２６に保存された光音響信号を画像再構成する際に画像処理回路内でゲインを乗算してもよい。この場合には画像処理回
路が増幅部にあたる。これらの方法では、プログラマブルゲインアンプのゲインの更新時間によりゲイン設定値が階段状になる制約が減り、よりきめ細かくゲインを変更できる。
【００７１】
また、第一実施例では、被検体１０１が固定され、探触子１０３および投光部１１０が２次元的に移動していた。しかし、走査の際に、探触子および投光部が固定され、被検体が移動してもよい。また第一実施例では、探触子１０３と投光部が一緒に移動していたが、両者が別々に移動してもよいし、どちらか一方が固定されていてもよい。また、探触子１０３がＸＹ平面上を２次元的に移動する例を用いて説明したが、Ｚ軸方向にも移動してもよい。
【００７２】
また、第一実施例では、光源からのパルス光をトリガ入力部の光センサで検出し、そこを起点にゲインカーブを算出したり、モーターの駆動や光音響受信を行ったりしていた。しかし、制御部が光源ドライバ１２８に駆動信号を送信した時刻を起点としてもよい。こうすることにより、光源１０８および光源ドライバ１２８の遅延時間が既知の場合にはトリガ入力部を省略し回路規模を削減できる。
【００７３】
また、第一実施例では、受信素子から被検体保持部材上の点までの最短距離に応じてゲインが制御されていた。しかし、受信素子から被検体までの距離が求められるのであれば、本発明はこれに限られない。例えば被検体保持部材を設けない構成として、被検体の３次元形状を取得する形状取得部を設けてもよい。この場合、受信素子から被検体表面上の点までの最短距離を、３次元演算処理によって求め、その結果に基づいてゲインを制御する。形状取得部としては、光学的に３次元形状を取得するカメラが好適である。また、探触子上の受信素子から被検体に向けて音響波を送受信して形状取得しても良い。
【００７４】
以上述べたように、本発明の実施の形態によれば、走査中に変化する被検体と各受信素子の相対位置に応じてゲインを変更することにより、音響波が各受信素子に到達するまでの減衰が補償される。これにより、被検体情報取得装置のコントラストのばらつきを低減することが可能である。
【符号の説明】
【００７５】
１０２：被検体保持部材，１０３：探触子，１０４：支持部材，１０５：ＸＹステージ，１０６：モーター，１０８：光源，１１３：受信素子，１１４：受信素子，１１８：コントロールユニット，１２１：増幅器，１２２：Ａ／Ｄ変換器，１２３：信号処理回路，１２４：画像化回路，１２５：制御部
【図１】
2019010599.tif 000003
【図２】
2019010599.tif 000004
【図３】
2019010599.tif 000005
【図４】
2019010599.tif 000006
【図５】
2019010599.tif 000007
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
複数の受信素子を、前記複数の受信素子の指向軸が集まるように支持する探触子であって、前記複数の受信素子のそれぞれは、光源から被検体への光の照射により発生した音響波を受信して電気信号を出力するものであり、前記探触子は測定時には前記被検体と距離を隔てて配置される、探触子と、
前記複数の受信素子から出力される複数の前記電気信号を増幅する増幅部と、
前記探触子の前記被検体に対する相対的な位置を変化させる走査部と、
前記複数の受信素子が前記音響波を受信して出力される前記複数の電気信号に対して前記増幅部によって適用される複数の時間依存のゲインを決定する制御部と、
前記増幅部によって増幅された前記複数の電気信号を用いて前記被検体の特性情報を取得する処理部と、
を有し、
前記制御部は、前記探触子の前記被検体に対する複数の相対的な位置において、前記複数の受信素子と前記被検体の間の複数の距離に基づいて、前記複数の電気信号に適用される前記複数の時間依存のゲインを決定する
ことを特徴とする被検体情報取得装置。
【請求項２】
前記被検体を保持する保持部材をさらに有する
ことを特徴とする請求項１に記載の被検体情報取得装置。
【請求項３】
前記保持部材が交換可能に配置される開口と、
それぞれが異なる種類の前記保持部材に対応するような前記複数の時間依存のゲインを記録したメモリと、
をさらに有し、
前記制御部は、前記被検体の保持に用いられる前記保持部材の種類の情報を取得し、前記保持部材の種類の情報に基づいて前記被検体を保持する前記保持部材に対応する前記複数の時間依存のゲインを前記メモリから読み出し、前記音響波の減衰を補償させるために前記増幅部の前記複数の時間依存のゲインとして決定する
ことを特徴とする請求項２に記載の被検体情報取得装置。
【請求項４】
前記保持部材は、前記被検体を保持するカップ状の保持部材である
ことを特徴とする請求項２または３に記載の被検体情報取得装置。
【請求項５】
前記制御部は、前記受信素子から最も近い前記保持部材上の点までの距離に応じて前記増幅部の前記複数の時間依存のゲインを決定する
ことを特徴とする請求項２ないし４のいずれか１項に記載の被検体情報取得装置。
【請求項６】
前記制御部は、前記受信素子から最も近い前記保持部材上の点までの距離に基づいて決定される、当該受信素子が受信する前記音響波の減衰の程度に応じて、前記増幅部が前記複数の電気信号にかける前記複数の時間依存のゲインを決定する
ことを特徴とする請求項５に記載の被検体情報取得装置。
【請求項７】
前記制御部は、前記複数の受信素子から最も近い前記保持部材上の点までの距離に基づいて決定される、前記複数の受信素子が前記被検体に由来する前記音響波の受信を開始する時刻の前と後で、前記増幅部が前記複数の電気信号にかける前記複数の時間依存のゲインを変更するように前記複数の時間依存のゲインを決定することを特徴とする請求項５または６に記載の被検体情報取得装置。
【請求項８】
前記制御部は、前記複数の受信素子から最も近い前記保持部材上の点までの距離に基づいて決定される、前記複数の受信素子が前記被検体に由来する前記音響波の受信を開始する時刻から、前記増幅部が前記複数の電気信号に前記複数の時間依存のゲインをかけるように前記複数の時間依存のゲインを決定する
ことを特徴とする請求項５または６に記載の被検体情報取得装置。
【請求項９】
前記探触子と前記被検体の複数の位置関係に対応する複数のゲインを記録したメモリをさらに有し、
前記制御部は、前記探触子と前記被検体の位置関係に応じたゲインを前記メモリから読み出し、前記増幅部の前記時間依存のゲインとして決定する
ことを特徴とする請求項１ないし８のいずれか１項に記載の被検体情報取得装置。
【請求項１０】
前記制御部は、前記時間依存のゲインを、前記探触子と前記被検体の位置関係に応じて計算する
ことを特徴とする請求項１ないし９のいずれか１項に記載の被検体情報取得装置。
【請求項１１】
前記制御部は、前記複数の受信素子が前記探触子における位置に応じて分けられた複数のグループごとに、
前記時間依存のゲインを決定する
ことを特徴とする請求項１ないし１０のいずれか１項に記載の被検体情報取得装置。
【請求項１２】
前記制御部は、前記被検体での前記光の照射点、および、前記探触子と前記被検体の位置関係に応じて、前記増幅部が前記電気信号にかけるゲインを決定する
ことを特徴とする請求項１ないし１１のいずれか１項に記載の被検体情報取得装置。
【請求項１３】
前記探触子の内部表面は半球状であり、前記複数の受信素子は前記内部表面に配置されている
ことを特徴とする請求項１ないし１２のいずれか１項に記載の被検体情報取得装置。
【請求項１４】
複数の受信素子を、前記複数の受信素子の指向軸が集まるように支持する探触子であって、前記複数の受信素子のそれぞれは、光の導入により被検体から発生した音響波を受信して電気信号を出力するものであり、前記探触子は測定時には前記被検体と距離を隔てて配置される、探触子と、
前記探触子の前記被検体に対する相対的な位置を変化させる走査部と、
前記複数の受信素子から出力される複数の電気信号に複数の時間依存のゲインを適用することで時間依存のゲイン制御を行う増幅部であって、前記複数の時間依存のゲインは、前記複数の受信素子が複数の前記音響波を受信するときの、前記探触子と前記被検体の間の距離に基づいて決定されるものである、増幅部と、
を有することを特徴とする被検体情報取得装置。
【請求項１５】
前記探触子と前記被検体の複数の位置関係に対応する複数のゲインを記録したメモリをさらに有し、
前記増幅部は、前記探触子と前記被検体の位置関係に応じたゲインを前記メモリから読み出し、前記時間依存のゲインとして決定する
ことを特徴とする請求項１４に記載の被検体情報取得装置。
【請求項１６】
前記増幅部は、前記時間依存のゲインを、前記探触子と前記被検体の位置関係に応じて計算する
ことを特徴とする請求項１４または１５に記載の被検体情報取得装置。
【請求項１７】
前記増幅部は、前記複数の受信素子が前記探触子における位置に応じて分けられた複数のグループごとに、前記時間依存のゲインを決定する
ことを特徴とする請求項１４ないし１６のいずれか１項に記載の被検体情報取得装置。
【請求項１８】
前記増幅部は、前記被検体での前記光の照射点、および、前記探触子と前記被検体の位置関係に応じて、前記電気信号にかけるゲインを決定する
ことを特徴とする請求項１４ないし１７のいずれか１項に記載の被検体情報取得装置。
【請求項１９】
探触子と、走査部と、増幅部とを有する被検体情報取得装置の制御方法であって、
前記探触子は、複数の受信素子を、前記複数の受信素子の指向軸が集まるように支持するものであり、前記探触子は測定時には前記被検体と距離を隔てて配置されるものであり、

前記複数の受信素子のそれぞれが、光の導入により被検体から発生した音響波を受信して電気信号を出力するステップと、
前記走査部が、前記探触子の前記被検体に対する相対的な位置を変化させるステップと、
前記増幅部が、前記複数の受信素子から出力される複数の電気信号に複数の時間依存のゲインを適用することで時間依存のゲイン制御を行うステップと、
を含み、
前記複数の時間依存のゲインは、前記複数の受信素子が複数の前記音響波を受信するときの、前記探触子と前記被検体の間の距離に基づいて決定されるものである、
ことを特徴とする被検体情報取得装置の制御方法。
【請求項２０】
前記被検体情報取得装置は、前記探触子と前記被検体の複数の位置関係に対応する複数のゲインを記録したメモリをさらに有し、
前記増幅部は、前記探触子と前記被検体の位置関係に応じたゲインを前記メモリから読み出し、前記時間依存のゲインとして決定する
ことを特徴とする請求項１９に記載の被検体情報取得装置の制御方法。
【請求項２１】
前記増幅部は、前記時間依存のゲインを、前記探触子と前記被検体の位置関係に応じて計算する
ことを特徴とする請求項１９または２０に記載の被検体情報取得装置の制御方法。
【請求項２２】
前記複数の受信素子は、前記探触子における位置に応じて複数のグループに分けられており、
前記増幅部は、前記複数のグループごとに、前記時間依存のゲインを決定する
ことを特徴とする請求項１９ないし２１のいずれか１項に記載の被検体情報取得装置の制御方法。
【請求項２３】
前記増幅部は、前記被検体での前記光の照射点、および、前記探触子と前記被検体の位置関係に応じて、前記電気信号にかけるゲインを決定する
ことを特徴とする請求項１９ないし２２のいずれか１項に記載の被検体情報取得装置の制御方法。
【手続補正３】
【補正対象書類名】明細書
【補正対象項目名】０００１
【補正方法】変更
【補正の内容】
【０００１】
本発明は、被検体情報取得装置及びその制御方法に関する。 
【手続補正４】
【補正対象書類名】明細書
【補正対象項目名】０００７
【補正方法】変更
【補正の内容】
【０００７】
本発明は、以下の構成を採用する。すなわち、
複数の受信素子を、前記複数の受信素子の指向軸が集まるように支持する探触子であって、前記複数の受信素子のそれぞれは、光源から被検体への光の照射により発生した音響波を受信して電気信号を出力するものであり、前記探触子は測定時には前記被検体と距離を隔てて配置される、探触子と、
前記複数の受信素子から出力される複数の前記電気信号を増幅する増幅部と、
前記探触子の前記被検体に対する相対的な位置を変化させる走査部と、
前記複数の受信素子が前記音響波を受信して出力される前記複数の電気信号に対して前記増幅部によって適用される複数の時間依存のゲインを決定する制御部と、
前記増幅部によって増幅された前記複数の電気信号を用いて前記被検体の特性情報を取得する処理部と、
を有し、
前記制御部は、前記探触子の前記被検体に対する複数の相対的な位置において、前記複数の受信素子と前記被検体の間の複数の距離に基づいて、前記複数の電気信号に適用される前記複数の時間依存のゲインを決定する
ことを特徴とする被検体情報取得装置である。
本発明は、また、以下の構成を採用する。すなわち、
複数の受信素子を、前記複数の受信素子の指向軸が集まるように支持する探触子であって、前記複数の受信素子のそれぞれは、光の導入により被検体から発生した音響波を受信して電気信号を出力するものであり、前記探触子は測定時には前記被検体と距離を隔てて
配置される、探触子と、
前記探触子の前記被検体に対する相対的な位置を変化させる走査部と、
前記複数の受信素子から出力される複数の電気信号に複数の時間依存のゲインを適用することで時間依存のゲイン制御を行う増幅部であって、前記複数の時間依存のゲインは、前記複数の受信素子が複数の前記音響波を受信するときの、前記探触子と前記被検体の間の距離に基づいて決定されるものである、増幅部と、
を有することを特徴とする被検体情報取得装置である。
本発明は、また、以下の構成を採用する。すなわち、
探触子と、走査部と、増幅部とを有する被検体情報取得装置の制御方法であって、
前記探触子は、複数の受信素子を、前記複数の受信素子の指向軸が集まるように支持するものであり、前記探触子は測定時には前記被検体と距離を隔てて配置されるものであり、

前記複数の受信素子のそれぞれが、光の導入により被検体から発生した音響波を受信して電気信号を出力するステップと、
前記走査部が、前記探触子の前記被検体に対する相対的な位置を変化させるステップと、
前記増幅部が、前記複数の受信素子から出力される複数の電気信号に複数の時間依存のゲインを適用することで時間依存のゲイン制御を行うステップと、
を含み、
前記複数の時間依存のゲインは、前記複数の受信素子が複数の前記音響波を受信するときの、前記探触子と前記被検体の間の距離に基づいて決定されるものである、
ことを特徴とする被検体情報取得装置の制御方法である。